(57)【要約】【課題】安価で且つ容易に組み立てられ、壁パネルと建築壁との間隙を小さくできるユニットルームのコーナー支柱及びこのコーナー支柱を用いた壁パネル接続構造を提供する。【解決手段】相互に直交隣接しユニットルームの壁面を構成する複数の壁パネルと、幅方向中央に一定間隔に穿設された複数のスリットを有する板状のコーナー目地掛合部と、該コーナー目地掛合部から両側方に延出し上記壁パネルの側端に裏面から当接する壁パネル受け部とが横断面略Ｗ字状に形成され、上記ユニットルームのコーナーの床から天井間に立設されたコーナーバックアップ材と、上記スリットに係入可能な複数の係入片が突設された板状の支持部と、該係入片から離反し且つ相互に直交する２方向に上記支持部より延出し上記壁パネルの側端近傍の表面に当接する目地本体と、が横断面略Ｙ字状に形成されたコーナー目地とを備え、上記係入片が上記スリットに係入されることにより上記壁パネルが挟装固定される。【選択図】  図７
2006029024.tif 000002
【特許請求の範囲】
【請求項１】
相互に直交隣接し、ユニットルームの壁面を構成する複数の壁パネルと、
幅方向中央において長さ方向一定間隔に穿設された複数のスリットを有する板状のコーナー目地掛合部と、該コーナー目地掛合部から両側方に延出し上記壁パネルの側端に裏面から当接する壁パネル受け部とが横断面略Ｗ字状に形成され、上記ユニットルームのコーナーの床から天井間に立設されたコーナーバックアップ材と、
上記スリットに係入可能な複数の係入片が突設された板状の支持部と、該係入片から離反し且つ相互に直交する２方向に上記支持部より延出し上記壁パネルの側端近傍の表面に当接する目地本体と、が横断面略Ｙ字状に形成されたコーナー目地と、
を備え、
上記係入片が上記スリットに係入されることにより上記壁パネルが挟装固定されることを特徴とするユニットルームの壁パネル接続構造。
【請求項２】
前記壁パネルは、前記壁パネル受け部が当接する背面に掛止孔が凹設され、
前記コーナーバックアップ材は、立設時において上記掛止孔に対向する位置にピンが凸設され、
上記壁パネルは、該ピンに上記掛止孔が外嵌掛止されることにより立設保持されることを特徴とする請求項１記載のユニットルームの壁パネル接続構造。
【請求項３】
前記目地本体は、前記壁パネルに当接する面に水密材を有し、
該水密材は、前記係入片が前記スリットに係入されることにより上記壁パネルが挟装固定されると上記壁パネルに押圧されて壁面の水密性を確保することを特徴とする請求項１及び２のいずれかに記載のユニットルームの壁パネル接続構造。
【請求項４】
幅方向中央において長さ方向一定間隔に穿設された複数のスリットを有する板状のコーナー目地掛合部と、該コーナー目地掛合部から両側方に延出し上記壁パネルの側端に裏面から当接する壁パネル受け部とが横断面略Ｗ字状に形成されたコーナーバックアップ材と、
上記スリットに係入可能な複数の係入片が突設された板状の支持部と、該係入片から離反し且つ相互に直交する２方向に上記支持部より延出する目地本体と、が横断面略Ｙ字状に形成されたコーナー目地と、
を備えることを特徴とするユニットルームのコーナー支柱。
【請求項５】
前記壁パネル受け部は、相互に内向する面に、壁パネルに凹設された掛止孔に嵌合するピンが凸設されたことを特徴とする請求項４記載のユニットルームのコーナー支柱。
【請求項６】
前記目地本体は、前記支持部側の面に水密材を有することを特徴とする請求項４及び５のいずれかに記載のユニットルームのコーナー支柱。
【請求項７】
前記水密材は、各々の方向に１つの凸条として形成されたことを特徴とする請求項６記載のユニットルームのコーナー支柱。
【請求項８】
前記水密材は、各々の方向に複数の凸条として形成されたことを特徴とする請求項６記載のユニットルームのコーナー支柱。
【請求項９】
前記水密材は、前記目地本体の先端にヒレ状に延設されたことを特徴とする請求項６記載のユニットルームのコーナー支柱。
【請求項１０】
前記水密材は、前記目地本体の前記支持部側の面に板状に形成されたことを特徴とする請求項６記載のユニットルームのコーナー支柱。
【発明の詳細な説明】
【技術分野】
【０００１】
本発明は、浴室等のユニットルームを構成する壁パネルの接続構造に係り、特にユニットルームのコーナーに立設され壁パネルを支持するコーナー支柱、及びこのコーナー支柱を用いた壁パネル相互間の接続構造に関する。
【背景技術】
【０００２】
ユニットルームは、床，壁，天井に給排水設備や電気設備等を組合せて構成された室型ユニットであり、中でも、それ自身で平面を維持できる程度の強さをもった板状のパネルを接続して壁面を構成するパネル方式のものは、ユニットバスルーム、ユニットシャワールーム、ユニットトイレルーム等で広く採用されている。
【０００３】
このパネル方式によるユニットルームの壁面は、床外縁に形成された壁パネル載置部上に、床面から天井面に達する高さを有する縦張りの壁パネルを立設する構造のものが主流である。この構造の壁パネルは、高さが２０００ｍｍ以上あり、パネル幅が大きくなれば重量も増加することから、その運搬や組立作業を考慮すれば、パネル幅を大きくすることはできず、そのため、一つの壁面は複数の壁パネルで構成される。
【０００４】
このとき、壁パネル間で前後に段差が生じることを防止する、或いは高さ方向に長いパネルが面外方向に撓む（上下方向中央部が室内側へ張り出す、或いは室外側へ退行する）ことを防止するため、例えば図１０に示すように、一つの壁面を構成する複数の壁パネル１０１の接続部分において床面から支柱１０２を立設して支持させる必要がある。
【０００５】
そのため、建築本体の壁面１０３と壁パネル１０１との間にこの支柱１０２を立設するスペースＳを確保すべく壁パネル１０１は室内側へと押し出され、畢竟ユニットルーム内の空間が狭くなる。特に、既存建築物のリフォームに際して、規格化されたユニットルームを所定の場所に設けるには、必要空間を確保するために往々既存壁を斫る必要が生じるが、これは、斫り作業という工数の増加による工期の延長ばかりではなく、斫りガラという建築廃材の処分費用も増加する。また、発生する騒音や埃が近隣に迷惑をかけることもある。
【０００６】
したがって、建築壁面とユニットルーム壁面との間隙をできるだけ小さくすべく、支柱を小さくする、或いはなくす方法が種々検討されている。これは、連続する壁面中間に立設される中間支柱だけの問題ではなく、ユニットルームのコーナーに立設されるコーナー支柱についても当てはまる。
【０００７】
この問題を解決する一つの手段として、図１１に示すように、間隔をおいて直交する２つの壁パネル１１１，１１２の裏面にねじ１１４等によって連結部材１１３を取り付け、この連結部材１１３の表側中心部にねじ１１８により断面略コ字形の中間閉塞部材１１６を取り付けて、この中間閉塞部材１１６の両脚部６ａ，６ａの先端を壁パネル１１１，１１２の表面に当接させた後、閉塞部材１１９の脚片１１９ａを中間閉塞部材１１６に嵌着して、閉塞部材１１９の端部を壁パネル１１１，１１２に弾接し、壁パネル１１１，１１２の間隔Ｔを水密に覆接する接続構造が知られている（例えば、特許文献１参照。）。
【０００８】
ところが、この接続構造によれば、直交する２つの壁パネル１１１，１１２間にハット型の中間閉塞部材１１６をねじ固定するための空間が必要となり、目地幅Ｔが大きくなって意匠性が低下する。また、連結部材１１３を壁パネル１１１，１１２に固定するねじ１１４、及び中間閉塞部材１１６を連結部材１１３に固定するねじ１１８は、相当な本数が必要となり、工数が多く固定に時間がかかってしまう。さらに、連結部材１１３を壁パネル１１１，１１２に固定するねじ１１４のねじ固定は、室外側からしか行うことができず、建築壁面とユニットルーム壁面との間隙が十分にない場合、例えばリフォーム時においては施工することができない。
【０００９】
上述した問題を解決する他の手段として、図１２に示すように、直交隣接する２枚の壁パネル１２３，１２３と、この壁パネル１２３，１２３の折り曲げ部側辺１１３ａ，１１３ａに裏面から嵌合する、断面が凹状で防水パンのコーナー部に設けられた支柱固定部材で立てられる支柱部材１２４と、前記壁パネル１２３，１２３の表面から前記支柱部材１２４へ挿入される水密材１２５と、前記支柱部材１２４に挿入して直交する２枚の壁パネル１２３，１２３を仮固定する固定ピースとで構成される接続構造が提案されている（例えば、特許文献１参照。）。
【００１０】
この接続構造は、現在主流の構成であり、この構成によれば第１の接続構造に付随する問題は解消されるものの、以下の問題点が残る。
【００１１】
まず、コーナー部分の強度を得るには、支柱部材１２４自体に相当の強度が要求され、この支柱部材１２４の強度、すなわち断面二次モーメントを得るには大きな奥行き寸法（厚み）が必要となり、この厚みを確保するとユニットルームの室内空間が狭くなる。
【００１２】
そして、ユニットルームに広く使用されている、鋼板１２８に裏打ち材１２９を貼着した廉価な構成の壁パネルを採用すると、壁パネル１２３が柱部材１２４に係止する部分には裏打ち材１２５ｂを貼着することができないので、壁パネル強度が低下する。その結果、水密材１２５の圧入に際し、壁パネル１２３の端部が変形する虞がある。
【００１３】
また、この水密材１２５は、このように壁パネル１２３，１２３間に圧入されているだけなので、壁パネル１２３に衝撃荷重が加わった場合等に壁パネル１２３の表面から浮いてしまい、水密性が低下する虞もある。
【００１４】
さらに、壁パネル１２３を支柱部材１２４に係止させるために、壁パネル１２３の端部を折曲加工する必要があり、加工に手間が掛かり、連続して生産可能な押出製法を採用できない等、採用できる製法も制限される。
【特許文献１】特開昭５８−２０４２４８号公報
【特許文献２】特開２０００−２３０３３７号公報
【発明の開示】
【発明が解決しようとする課題】
【００１５】
本発明は、上述した事情を考慮してなされたもので、安価で且つ容易に組み立てられ、壁パネルと建築壁との間隙を小さくできるユニットルームのコーナー支柱及びこのコーナー支柱を用いた壁パネル接続構造を提供することを目的とするものである。
【００１６】
本発明の他の目的は、意匠性、水密信頼性、及び高い固定強度のあるユニットルームのコーナー支柱及びこのコーナー支柱を用いた壁パネル接続構造を提供することにある。
【課題を解決するための手段】
【００１７】
本発明に係るユニットルームの壁パネル接続構造は、上述した課題を解決するために、請求項１に記載したように、相互に直交隣接しユニットルームの壁面を構成する複数の壁パネルと、幅方向中央において長さ方向一定間隔に穿設された複数のスリットを有する板状のコーナー目地掛合部と、該コーナー目地掛合部から両側方に延出し上記壁パネルの側端に裏面から当接する壁パネル受け部とが横断面略Ｗ字状に形成され、上記ユニットルームのコーナーの床から天井間に立設されたコーナーバックアップ材と、上記スリットに係入可能な複数の係入片が突設された板状の支持部と、該係入片から離反し且つ相互に直交する２方向に上記支持部より延出し上記壁パネルの側端近傍の表面に当接する目地本体と、が横断面略Ｙ字状に形成されたコーナー目地とを備え、上記係入片が上記スリットに係入されることにより上記壁パネルが挟装固定されるものである。
【００１８】
より好適には、請求項２に記載したように、前記壁パネルは、前記壁パネル受け部が当接する背面に掛止孔が凹設され、前記コーナーバックアップ材は、立設時において上記掛止孔に対向する位置にピンが凸設され、上記壁パネルは、該ピンに上記掛止孔が外嵌掛止されることにより立設保持される。
【００１９】
さらに好適には、請求項３に記載したように、前記目地本体は、前記壁パネルに当接する面に水密材を有し、該水密材は、前記係入片が前記スリットに係入されることにより上記壁パネルが挟装固定されると上記壁パネルに押圧されて壁面の水密性を確保する。
【００２０】
そして、上述した課題を解決するために、請求項４に係るユニットルームのコーナー支柱は、幅方向中央において長さ方向一定間隔に穿設された複数のスリットを有する板状のコーナー目地掛合部と、該コーナー目地掛合部から両側方に延出し上記壁パネルの側端に裏面から当接する壁パネル受け部とが横断面略Ｗ字状に形成されたコーナーバックアップ材と、上記スリットに係入可能な複数の係入片が突設された板状の支持部と、該係入片から離反し且つ相互に直交する２方向に上記支持部より延出する目地本体と、が横断面略Ｙ字状に形成されたコーナー目地とを備えるものである。
【００２１】
前記壁パネル受け部は、より好適には、請求項５に記載したように、相互に内向する面に、壁パネルに凹設された掛止孔に嵌合するピンが凸設される。
【００２２】
また、前記目地本体は、より好適には、請求項６に記載したように、前記支持部側の面に水密材を有する。この水密材は、請求項７に記載したように、各々の方向に１つの凸条として形成されても、請求項８に記載したように、各々の方向に複数の凸条として形成されてもよい。この水密材はさらに、請求項９に記載したように、前記目地本体の先端にヒレ状に延設されても、請求項１０に記載したように、前記目地本体の前記支持部側の面に板状に形成されてもよい。
【発明の効果】
【００２３】
本発明に係るユニットルームの壁パネル及びその接続構造によれば、安価で且つ容易に組み立てられ、壁パネルと建築壁との間隙を小さくできるユニットルームのコーナー支柱及びこのコーナー支柱を用いた壁パネル接続構造を提供することができる。
【００２４】
本発明は、意匠性、水密信頼性、及び高い固定強度のあるユニットルームのコーナー支柱及びこのコーナー支柱を用いた壁パネル接続構造を得られる効果がある。
【発明を実施するための最良の形態】
【００２５】
本発明に係るユニットルームの壁パネル及びその接続構造の実施の形態について、添付図面を参照して説明する。図１は、本発明に係る壁パネルを構成要素とするユニットルーム１の全体的な概要を示すものである。本実施形態に示されたユニットルーム１は、床２と、壁３と、コーナー支柱４と図示しない天井パネル及び出入り口とを備え、一定の広さを有する空間を形成する。
【００２６】
床２は、建築床或いは防水パンで構成され、床２の四周には、壁３を構成する壁パネル１０を載置可能な壁パネル載置部２ａが形成される。
【００２７】
コーナー支柱４は、この床の四隅に立設され、壁パネル１０，１０Ａを立設状態に保持するものである。
【００２８】
壁３は、壁パネル載置部２ａ上に立設された下段の壁パネル１０と、その上に載置された上段の壁パネル１０Ａとから構成される。壁パネル１０，１０Ａは、さねはぎ（一方を凸，他方を凹に彫って合わせる板の接合方法）に接合されて、床２の外縁に設けられた壁パネル載置部２ａ上に載置され、立設されたコーナー支柱４，４間に渡設される。したがって、壁３の中間に支柱を設ける必要はない。本実施形態では２段の場合を例に採って説明するが、天井高さが高い場合等では、３段或いはそれ以上の壁パネルを積み上げて壁３を構成してもよい。
【００２９】
例えば、ユニットルームの一形態であるユニットバスでは、その大きさが長さ１６００×幅１６００×高さ２０００ｍｍ程度が主流である。この場合、従来の縦張り型壁パネルでは、１枚のパネルの長さ（高さ）は、２０００ｍｍ前後となる。ところが、本発明に係る横積み構造の壁パネルでは、その長さが１６００ｍｍ前後となるので、運搬時や組立時においての振り回しが容易になる。
【００３０】
ユニットルーム１の壁３を構成する壁パネルのうち下段に設置される壁パネル１０は、図２に示すように、芯材１２に、室内側に面する表面材１１と、室外側に面する裏面材１３とが接着剤により貼着されて形成される。表面材１１及び裏面材１３には、例えば化粧鋼板が用いられ、芯材１２には、例えば石膏ボード、セメント板、珪酸カルシウム板或いは発泡樹脂製の板等が用いられる。この構成により、壁パネル１０自体の厚さは略１２ｍｍ程度に抑えられ、また、重量も軽く、運搬上及び組立上取り扱い易いものとなっている。そして、安価に製造することができる。
【００３１】
表面材１１の上側端は、図２（ｃ）に示すように、背面側に折曲されて、さねはぎ接合に供される凸条１４が形成される。この凸条１４は、室内側底部１４ａと室外側底部１４ｃとの中央に、頂部１４ｂが立設される。
【００３２】
これに対し、表面材１１の下側端は、図２（ｄ）に示すように、背面側に折曲されて凹条１５が形成される。この凹溝１５は、壁パネル１０の厚さ方向中央に位置する底部１４ｂを挟んで、室内側頂部１５ａと室外側頂部１５ｃとが立設される。
【００３３】
一方、壁パネル１０の両側端は、図２（ｅ）に示すように、芯材１２に表面材１１と裏面材１３とが貼着された後単純に切断されたままとなっている。このように、両側端は切断後何ら加工を必要としないので、押出製法等により連続して生産することが可能となり、生産コストを低減することができる。
【００３４】
また、壁パネル１０の背面には、上方の両端近傍に図２（ｃ）に示す掛止孔１２ａが凹設される。壁パネル１０は、この掛止孔１２ａが、支柱４に突設された、後述するピン３０ｄに掛止されて立設される。
【００３５】
ユニットルーム１の壁３を構成する壁パネルのうち上段に設置される壁パネル１０Ａは、基本的には壁パネル１０と同様の構成であるが、その上側端が単純に背面側に折曲されている点で壁パネル１０と相違する（図６参照）。
【００３６】
コーナー支柱４は、ユニットルーム１の出隅のコーナーに設けられ、壁３の荷重を支持するとともに、壁パネルの表面相互間で出入りが生じないように配置する機能を有する。このコーナー支柱４は、室内側に位置するコーナー目地２０と、壁パネル裏面側に位置するコーナーバックアップ材３０とから構成される。
【００３７】
コーナー目地２０は、図３に示すように、目地本体２０ａと、軟質部２０ｂと、支持部２０ｃとを備える。目地本体２０ａは、ＡＢＳ樹脂等の硬質プラスティックを細長い略三角柱状に成形したものであり、壁パネル１０と、直交するもう一方の壁パネル１０との突き合わせ端部を掩蔽し、水密性及び意匠性を高めるものである。
【００３８】
軟質部２０ｂは、例えばオレフィン系エラストマーからなる柔軟な部材で、コーナー目地２０が壁パネル１０に押圧されると変形して壁パネル１０に圧着され、水密性を高める。
【００３９】
支持部２０ｃは、例えばステンレス鋼板を２つに折曲して断面が略Ｙ字状の棒体に形成される。支持部２０ｃには、一定の間隔で係入片２０ｄが複数突設される。この係入片２０ｄが、コーナーバックアップ材３０に穿設された、後述するスリット３０ｄに係入されることにより、壁パネル１０がコーナー目地２０及びコーナーバックアップ材３０に挟持される。
【００４０】
コーナーバックアップ材３０は、図４（ａ）に示すように、細長い、例えば亜鉛メッキ鋼板等を折曲加工したもので、その短手方向断面は、図４（ｃ）に示すように、中央のコーナー目地掛合部３０ａと、このコーナー目地掛合部３０ａの両側端で４５度の角度で折曲された壁パネル受け部３０ｂ，３０ｂとからなる。
【００４１】
コーナー目地掛合部３０ａには、所定の間隔で、コーナー目地２０の係入片２０ｄが係入される複数のスリット３０ｄが穿設されている。一方、壁パネル受け部３０ｂには、図４（ｂ）に示すように、上段及び下段の壁パネルに設けられた掛止孔１２ａが対向する位置に、この掛止孔１２ａに嵌挿されるピン３０ｄが突設される。また、コーナー目地掛合部３０ａの下端近傍には、コーナーバックアップ材３０を、アングルピース等を介して床２の壁パネル載置部２ａに立設するためのボルト孔３０ｅが穿設される。
【００４２】
本実施の形態に係るユニットルーム１は上記のように構成されており、以下その壁パネルの取付順序について、図５に示すフローチャートを参照して説明する。
【００４３】
まず、建築床或いは防水パン等の床２上に、コーナーバックアップ材３０を立設する（ステップＳ１）。この立設は、例えば、床２上にアングルピースを固定し、このアングルピースに穿設されたボルト孔と、コーナーバックアップ材３０のボルト孔３０ｅとにボルトを連通螺挿して行う。
【００４４】
次に、下段の壁パネル１０の掛止孔１２ａを、立設されたコーナーバックアップ材３０のピン３０ｄに外嵌させて、壁パネル１０を立設する（ステップＳ２）。このユニットルームが水密性を要求されるものであれば、図６（ｂ）に示すように、壁パネル載置部２ａ上に水密材５０を敷設してから壁パネル１０を載置する。このとき、壁パネル１０は、コーナーバックアップ材３０により立設されているので、折曲された表面材１１の下端に自重が完全にかかることはなく、表面材１１が変形する虞がない。
【００４５】
そして、上段の壁パネル１０Ａ下端の凹溝１５Ａを、下段の壁パネル１０上端の凸条１４に嵌合させてさねはぎ接合させた後、上段の壁パネル１０Ａの係止孔１２ａを、立設されたコーナーバックアップ材３０のピン３０ｄに外嵌させて、壁パネル１０Ａを立設する（ステップＳ３）。このように、係止孔１２ａをピン３０ｄに外嵌させるだけで位置決めができるので、作業員が一人でも容易に壁パネルを組み立てることができる。
【００４６】
続いて、図７に示すように、コーナー目地２０の係入片２０ｄを、コーナーバックアップ材３０のスリット３０ｃに係入させて、コーナー目地２０を取り付ける（ステップＳ４）。これにより、図８に示すように、壁パネル１０，１０Ａは、コーナーバックアップ材３０とコーナー目地２０とに挟持され、壁パネル１０，１０Ａの掛止孔１２ａがコーナーバックアップ材３０のピン３０ｄから脱落することなく、堅固に固定される。
【００４７】
このように壁パネル１０，１０Ａが固定されると、その両側端は、コーナー目地２０の目地本体２０ａ及びコーナーバックアップ材３０により掩蔽されるので、その切断面が見えることはなく、特別な保護も必要としない。
【００４８】
また、コーナー目地２０の背面側にある軟質部２０ｂは、壁パネル１０，１０Ａと目地本体２０ａとの間で押圧されて変形し、壁パネル１０，１０Ａに圧着されて水密性が高められる。また、壁パネル１０，１０Ａが押圧されることにより、上段の壁パネル１０Ａと下段の壁パネル１０との間に段差が生じないので、意匠性が低下することもない。
【００４９】
この軟質部２０ｂは、斯かる機能を有するものであれば、本実施形態に示した形状に限られない。例えば、本実施形態では、三角断面の棒状体を目地本体２０ａの左右にそれぞれ２本設けているが、それ程高い水密性が要求されない場合は、図９（ａ）に示すように、左右それぞれ１本のみとしてもよい。また、図９（ｂ）に示すように、目地本体２０ａの先端にヒレ状の軟質材２０ｂ１として取り付けてもよい。或いは、図９（ｃ）に示すように、発泡パッキン２０ｂ２を目地本体２０ａの壁パネル１０，１０Ａに当接する部分全体に貼着することも可能である。
【００５０】
このように、壁パネル１０，１０Ａの取付には、ビス止めやボルト締め等の工程がないので工数が減少し、工期の短縮、延いてはコストの低減が可能となる。また、コーナー目地２０の係入片２０ｄをコーナーバックアップ材３０のピン３０ｄに係入させるだけで壁パネルを固定できるので、作業員が一人でも容易に壁パネルを組み立てることができる。
【００５１】
こうして立設された壁３上に天井パネル４０を載置すれば（ステップＳ５）、ユニットルームの外枠が完成する。天井パネル４０の取付は、例えば図６（ｂ）に示すように、天井パネル４０の端部を、接続ピース４１の嵌合凹部４１に嵌合させ、この接続ピース４１のもう一方の嵌合凹部４１ｂを、壁パネル１０Ａの上端に嵌合させて行う。
【００５２】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００５３】
例えば、本実施形態においては、横積み構造のものを例にとって説明したが、本発明はこれに限られず、縦張り型の壁パネルにおいても、壁面中間に中間支柱を設ける必要が生じるにしても、採用することが可能である。
【００５４】
また、ユニットルームも、ユニットバスルーム、ユニットシャワールーム、ユニットトイレルーム等に限られず、物置やトランクルーム等であってもよい。
【図面の簡単な説明】
【００５５】
【図１】本発明に係る壁パネル及びその接続構造を備えるユニットルームの全体概要を示す図。
【図２】壁パネルの詳細図で、（ａ）は正面図、（ｂ）は側面図、（ｃ）は（ａ）中のＡ−Ａ矢視図，（ｄ）は同Ｂ−Ｂ矢視図、（ｅ）は同Ｃ−Ｃ矢視図。
【図３】コーナー目地の詳細図で、（ａ）は側面図、（ｂ）は（ａ）中のＦ−Ｆ矢視図。
【図４】コーナーバックアップ材の詳細図で、（ａ）は正面図、（ｂ）は（ａ）中のＤ−Ｄ矢視図、（ｃ）は同Ｅ−Ｅ矢視図、（ｄ）は同Ｆ部拡大図。
【図５】本実施形態に係る壁パネルの組立順序を示すフローチャート。
【図６】図１に示された壁パネルの取付を説明する図であり、（ａ）は組立前の、（ｂ）は組立後の縦断面図。
【図７】コーナーバックアップ材にコーナー目地を取り付ける様子を説明する図。
【図８】壁パネルの取付状態を示す横断面図。
【図９】軟質材の変形例のいくつかを示す図。
【図１０】従来の縦張り壁パネルの接続構造を示す図。
【図１１】従来のコーナー支柱及びこのコーナー支柱を用いた壁パネル接続構造の一例を示す図。
【図１２】従来のコーナー支柱及びこのコーナー支柱を用いた壁パネル接続構造の他の例を示す図。
【符号の説明】
【００５６】
１  ユニットルーム
２  床
２ａ  壁パネル載置部
３  壁
４  コーナー支柱
１０，１０Ａ  壁パネル
１１  表面材
１２  芯材
１２ａ掛止孔
１３  裏面材
１４  凸条
１４ａ  室内側底部
１４ｂ  頂部
１４ｃ  室外側底部
１５  凹溝
１５ａ  室内側頂部
１５ｂ  底部
１５ｃ  室外側頂部
１６，５０  水密材
２０  コーナー目地
２０ａ  目地本体
２０ｂ  軟質部
２０ｃ  支持部
２０ｄ  係入片
３０  コーナーバックアップ材
３０ａ  コーナー目地掛合部
３０ｂ  壁パネル受け部
３０ｃ  スリット
３０ｄ  ピン
３０ｅ  ボルト孔
４０  天井パネル
４１  接続ピース
４１ａ，４１ｂ  嵌合凹部
【図１】
2006029024.tif 000003
【図２】
2006029024.tif 000004
【図３】
2006029024.tif 000005
【図４】
2006029024.tif 000006
【図５】
2006029024.tif 000007
【図６】
2006029024.tif 000008
【図７】
2006029024.tif 000009
【図８】
2006029024.tif 000010
【図９】
2006029024.tif 000011
【図１０】
2006029024.tif 000012
【図１１】
2006029024.tif 000013
【図１２】
2006029024.tif 000014